(57)【特許請求の範囲】
【請求項１】
多数の楽曲の歌詞データを管理するサーバから、楽曲に対応する歌詞を複数種類の表示態様で表示する複数種類の歌詞データを取得可能な通信装置であって、
歌詞データを取得する楽曲を決定する決定部と、
前記サーバから、前記指定された楽曲の歌詞データを取得する取得部と、
前記取得部により取得された前記歌詞データに従う表示態様で歌詞を、表示部に表示させる表示制御部と、
表示態様の種類を制限しない通常モードと、表示態様の種類を制限する制限モードとのいずれかを設定するモード設定部と、を備え、
前記取得部は、前記通常モードが設定されているとき、前記指定された楽曲に対応する歌詞を表示する全ての種類の表示態様の歌詞データを前記サーバから取得し、前記制限モードが設定されているとき、全ての種類より少ない種類の表示態様の歌詞データを前記サーバから取得することを特徴とする歌詞取得可能な通信装置。
【請求項２】
前記複数種類の歌詞データは、楽曲の再生中に、表示される歌詞の表示色を変えない通常歌詞データと、楽曲の再生に従って、表示される歌詞の表示色を変える色変え歌詞データと、を含み、
前記取得部は、前記制限モードが設定されているとき、前記色変え歌詞データを含まない前記歌詞データを取得することを特徴とする請求項１に記載の歌詞取得可能な通信装置。
【請求項３】
前記通信装置は、前記表示部の電力消費を軽減する省電力モードが設定可能であり、
前記モード設定部は、前記省電力モードが設定されているとき、前記制限モードを設定することを特徴とする請求項１または請求項２に記載の歌詞取得可能な通信装置。
【請求項４】
前記表示部に表示される歌詞の表示態様の種類を予め設定する表示設定部を備え、
前記取得部は、前記制限モードが設定されているとき、前記表示設定部に設定されている種類を含む、全ての種類より少ない種類の表示態様の歌詞データを取得し、
前記表示制御部は、前記制限モードが設定されているとき、前記取得部により取得された歌詞データのうち、前記表示設定部により設定された種類の表示態様の歌詞データに従って歌詞を前記表示部に表示させる、
ことを特徴とする請求項１〜３のいずれかに記載の歌詞取得可能な通信装置。
【請求項５】
多数の楽曲の歌詞データを管理するサーバから、各楽曲に対応する歌詞を複数種類の表示態様で表示する複数種類の歌詞データを取得可能であり、前記歌詞データに従って歌詞を表示する表示部を備える歌詞取得可能な通信装置の通信方法であって、
歌詞データを取得する楽曲を指定する指定ステップと、
表示態様の種類を制限しない通常モードと、表示態様の種類を制限する制限モードとのいずれかを設定するモード設定ステップと、
前記通常モードが設定されているとき、前記指定された楽曲に対応する歌詞を表示する全ての種類の表示態様の歌詞データを前記サーバから取得し、前記制限モードが設定されているとき、全ての種類より少ない種類の表示態様の歌詞データを前記サーバから取得する取得ステップと、
前記取得ステップにより取得された前記歌詞データに従う表示態様で歌詞を、前記表示部に表示させる表示制御ステップと、
を備えることを特徴とする歌詞取得可能な通信方法。
【請求項６】
多数の楽曲の歌詞データを管理するサーバから、各楽曲に対応する歌詞を複数種類の表示態様で表示する複数種類の歌詞データを取得可能であり、前記歌詞データに従って歌詞を表示する表示部を備える歌詞取得可能な通信装置を制御するコンピュータに、
歌詞データを取得する楽曲を指定する指定ステップと、
表示態様の種類を制限しない通常モードと、表示態様の種類を制限する制限モードとのいずれかを設定するモード設定ステップと、
前記通常モードが設定されているとき、前記指定された楽曲に対応する歌詞を表示する全ての種類の表示態様の歌詞データを前記サーバから取得し、前記制限モードが設定されているとき、全ての種類より少ない種類の表示態様の歌詞データを前記サーバから取得する取得ステップと、
前記取得ステップにより取得された前記歌詞データに従う表示態様で歌詞を、前記表示部に表示させる表示制御ステップと、
を実行させることを特徴とする歌詞取得可能な通信プログラム。
【発明の詳細な説明】
【技術分野】
【０００１】
本発明は、複数種類の表示態様で歌詞を表示可能な歌詞データを取得し、楽曲を再生するときに所定の表示態様の歌詞を表示する通信装置に関する。詳細には、本発明は、動作設定モードが制限モードに設定されているときは、複数種類の表示態様の歌詞データのうち、制限された数種の表示態様の歌詞データを取得する歌詞取得可能な通信装置、歌詞取得可能な通信方法及び歌詞取得可能な通信プログラムに関する。
【背景技術】
【０００２】
従来、楽曲の再生時に、楽曲の歌詞をモニタに表示するカラオケ装置がある。例えば、特許文献１に記載のカラオケ装置は、記憶された楽曲トラックと歌詞トラックとを含む楽曲データから、楽曲トラックを読み出して楽曲を再生し、歌詞トラックを読み出して歌詞を表示する。さらに、このカラオケ装置は、インターネットを介して、表示態様が異なる複数の歌詞を表示するための拡張歌詞トラックを含む拡張データを取得する。ユーザが歌詞の表示態様の変更指示を行うと、カラオケ装置は、拡張データを用いて、変更指示に応じた表示態様で歌詞を表示する。
【先行技術文献】
【特許文献】
【０００３】
【特許文献１】特開２００６−２７６７１５号公報
【発明の概要】
【発明が解決しようとする課題】
【０００４】
近年、スマートフォンなどの携帯型の通信装置が普及している。このような通信装置は、音楽再生機能と表示機能とを備え、特許文献１に記載のカラオケ装置のように、楽曲の再生時に、楽曲の歌詞を閲覧することが可能である。しかしながら、楽曲の歌詞は、著作権の管理対象となっている場合が多く、各個人が所有する通信装置に、多数の楽曲に対応する歌詞データが保存されることは、適切ではない。
【０００５】
また、通信装置は、待機電力以外に、音楽再生機能、表示機能、インターネットを介して情報を取得する通信機能などを動作させると、多くの電力を消費する。消費電力量は、動作の回数が多いほど、また処理時間が長いほど、大きい。したがって、通信装置は、複数種類の表示態様の歌詞を取得するほど、消費電力量が大きくなる。
【０００６】
本発明は、上述した事情に鑑みてなされたものである。本発明の目的は、複数種類の表示態様の歌詞データが取得可能な場合であっても、電力消費を制限すべきときは、表示態様の種類を制限して歌詞データを取得する歌詞取得可能な通信装置、歌詞取得可能な通信方法及び歌詞取得可能な通信プログラムを提供することである。
【課題を解決するための手段】
【０００７】
請求項１記載の歌詞取得可能な通信装置は、多数の楽曲の歌詞データを管理するサーバから、楽曲に対応する歌詞を複数種類の表示態様で表示する複数種類の歌詞データを取得可能な通信装置であって、歌詞データを取得する楽曲を決定する決定部と、前記サーバから、前記指定された楽曲の歌詞データを取得する取得部と、前記取得部により取得された前記歌詞データに従う表示態様で歌詞を、表示部に表示させる表示制御部と、表示態様の種類を制限しない通常モードと、表示態様の種類を制限する制限モードとのいずれかを設定するモード設定部と、を備え、前記取得部は、前記通常モードが設定されているとき、前記指定された楽曲に対応する歌詞を表示する全ての種類の表示態様の歌詞データを前記サーバから取得し、前記制限モードが設定されているとき、全ての種類より少ない種類の表示態様の歌詞データを前記サーバから取得することを特徴とする。
【０００８】
請求項２記載の歌詞取得可能な通信装置は、前記複数種類の歌詞データは、楽曲の再生中に、表示される歌詞の表示色を変えない通常歌詞データと、楽曲の再生に従って、表示される歌詞の表示色を変える色変え歌詞データと、を含み、前記取得部は、前記制限モードが設定されているとき、前記色変え歌詞データを含まない前記歌詞データを取得することを特徴とする。
【０００９】
請求項３記載の歌詞取得可能な通信装置は、前記表示部の電力消費を軽減する省電力モードが設定可能であり、前記モード設定部は、前記省電力モードが設定されているとき、前記制限モードを設定することを特徴とする請求項１または請求項２に記載の歌詞取得可能な通信装置。
【００１０】
請求項４記載の歌詞取得可能な通信装置は、前記表示部に表示される歌詞の表示態様の種類を予め設定する表示設定部を備え、前記取得部は、前記制限モードが設定されているとき、前記表示設定部に設定されている種類を含む、全ての種類より少ない種類の表示態様の歌詞データを取得し、前記表示制御部は、前記制限モードが設定されているとき、前記取得部により取得された歌詞データのうち、前記表示設定部により設定された種類の表示態様の歌詞データに従って歌詞を前記表示部に表示させる、ことを特徴とする。
【００１１】
請求項５記載の歌詞取得可能な通信方法は、多数の楽曲の歌詞データを管理するサーバから、各楽曲に対応する歌詞を複数種類の表示態様で表示する複数種類の歌詞データを取得可能であり、前記歌詞データに従って歌詞を表示する表示部を備える通信装置の通信方法であって、歌詞データを取得する楽曲を指定する指定ステップと、表示態様の種類を制限しない通常モードと、表示態様の種類を制限する制限モードとのいずれかを設定するモード設定ステップと、前記通常モードが設定されているとき、前記指定された楽曲に対応する歌詞を表示する全ての種類の表示態様の歌詞データを前記サーバから取得し、前記制限モードが設定されているとき、全ての種類より少ない種類の表示態様の歌詞データを前記サーバから取得する取得ステップと、前記取得ステップにより取得された前記歌詞データに従う表示態様で歌詞を、前記表示部に表示させる表示制御ステップと、を備えることを特徴とする。
【００１２】
請求項６記載の歌詞取得可能な通信プログラムは、多数の楽曲の歌詞データを管理するサーバから、各楽曲に対応する歌詞を複数種類の表示態様で表示する複数種類の歌詞データを取得可能であり、前記歌詞データに従って歌詞を表示する表示部を備える通信装置を制御するコンピュータに、歌詞データを取得する楽曲を指定する指定ステップと、表示態様の種類を制限しない通常モードと、表示態様の種類を制限する制限モードとのいずれかを設定するモード設定ステップと、前記通常モードが設定されているとき、前記指定された楽曲に対応する歌詞を表示する全ての種類の表示態様の歌詞データを前記サーバから取得し、前記制限モードが設定されているとき、全ての種類より少ない種類の表示態様の歌詞データを前記サーバから取得する取得ステップと、前記取得ステップにより取得された前記歌詞データに従う表示態様で歌詞を、前記表示部に表示させる表示制御ステップと、を実行させることを特徴とする。
【発明の効果】
【００１３】
請求項１記載の発明によれば、モード設定部により制限モードが設定されているとき、取得部は、複数種類の歌詞データのうち全ての種類より少ない種類の表示態様の歌詞データを取得する。制限モードが設定されているときは、通常モードが設定されているときに比べ、取得部が取得する歌詞データの種類が少ないため、サーバから取得するときにかかる消費電力を少なくすることができる。
【００１４】
請求項２記載の発明によれば、色変え歌詞データは、歌詞の再生に従って歌詞の表示色を変えるため、表示色を変えない通常歌詞データに比べて、データ量が大きい。制限モードが設定されているとき、取得部は、色変え歌詞データを含まない歌詞データを取得するため、通常モードが設定されているときに比べ、サーバから歌詞データを取得するときにかかる消費電力を少なくすることができる。
【００１５】
請求項３記載の発明によれば、モード設定部は、表示部の電力消費を軽減する省電力モード設定がされているとき、制限モードを設定する。このとき取得部は、色変え歌詞データを含まない歌詞データを、サーバから取得する。色変え歌詞データは、歌詞の再生に従って歌詞の表示色を変えるため、表示色を変えない通常歌詞データに比べて、データ量が大きい。電力消費を軽減する省電力モードが設定されているとき、取得部は、色変え歌詞データを含まない歌詞データを取得するため、通常モードが設定されているときに比べ、サーバから歌詞データを取得するときにかかる消費電力を少なくすることができる。
【００１６】
請求項４記載の発明によれば、制限モードが設定されているとき、取得部は、少なくとも、表示設定部に予め設定されている表示態様の種類の歌詞データを取得する。制限モードが設定されているときは、使用者が表示部で見る歌詞の表示態様は、多数の種類を必要としない。よって、少なくとも、表示設定部に予め設定されている種類の表示態様の歌詞を取得すれば、使用者の必要性を満足させることができ、さらに電力消費を抑えることができる。
【００１７】
請求項５又は請求項６記載の発明によれば、モード設定ステップにより制限モードが設定されているとき、取得ステップは、複数種類の歌詞データのうち全ての種類より少ない種類の表示態様の歌詞データを取得する。制限モードが設定されているときは、通常モードが設定されているときに比べ、取得ステップが取得する歌詞データの種類が少ないため、サーバから取得するときにかかる消費電力を少なくすることができる。
【図面の簡単な説明】
【００１８】
【図１】本発明の一実施形態に係る歌詞取得システム１の全体構成を示すシステム構成図である。
【図２】表示装置２０のディスプレイ２１の表示例を示す説明図である。
【図３】歌詞表示システム１の表示装置２０及び歌詞管理サーバ５０の電気的構成を示すブロック図である。
【図４】歌詞管理サーバ５０の記憶内容を示す説明図である。
【図５】表示装置２０が実行する歌詞表示プログラムの楽曲再生表示処理を示すフローチャートである。
【図６】表示装置２０が実行する歌詞表示プログラムの歌詞決定処理を示すフローチャートである。
【発明を実施するための形態】
【００１９】
以下、本発明の通信装置を、歌詞表示システムの表示装置に適用した一実施形態について説明する。歌詞表示システムにおいては、表示装置と、歌詞管理サーバとが、ネットワークを介して接続されている。表示装置は、再生される楽曲の歌詞を、歌詞管理サーバから取得し、ディスプレイに表示する装置であり、例えば、スマートフォンなどの携帯端末である。歌詞が取得される楽曲は、ユーザにより指示されて再生される楽曲、またはプレイリストの定められた再生順序に従って再生される楽曲である。歌詞管理サーバは、多数の楽曲に対応する多数の歌詞を記憶し、その多数の歌詞のうちの特定の歌詞を取得するための歌詞取得要求を表示装置から受信し、その歌詞取得要求に応じて、特定の歌詞を表示装置に送信する装置である。歌詞管理サーバは、著作権で保護された歌詞などの情報を提供するサービス提供業者が管理するサーバである。以下、本実施形態について図面を参照して説明する。
【００２０】
［実施形態の構成］
（歌詞表示システムの全体構成）
図１は、本実施形態の歌詞表示システム１の全体構成を示すシステム構成図である。歌詞表示システム１は、表示装置２０と、歌詞管理サーバ５０とを備える。表示装置２０は、インターネットなどのネットワークを介して歌詞管理サーバ５０に接続されており、その歌詞管理サーバ５０との間で情報を送受信する。表示装置２０は、ＯＮまたはＯＦＦに照明が切り替えられるタッチパネル式のディスプレイ２１を備える。ディスプレイ２１の照明のＯＮからＯＦＦへの切り替えは、ユーザがディスプレイ２１をタッチすることによる切り替え操作、またはユーザによる操作が一定時間以上行われないときに行われる。歌詞管理サーバ５０は、楽曲の歌詞を、表示装置２０のディスプレイ２１に表示させるため、多数の楽曲に対応する歌詞データを記憶している。複数種類の歌詞データは、後述のように、各楽曲について、存在する。ディスプレイ２１に歌詞を表示させる表示態様が、歌詞データの種類ごとに異なる。表示装置２０は、再生する楽曲の歌詞を表示するための歌詞データを、歌詞管理サーバ５０から取得する。
【００２１】
図２の（Ａ）〜図２の（Ｇ）は、表示装置２０のディスプレイ２１に表示される表示内容の一例を示す図である。図２の（Ａ）〜図２の（Ｃ）は、表示装置２０の機能状態を示す図である。具体的には、図２の（Ａ）〜図２の（Ｃ）は、表示装置２０の電力消費条件である省電力モードのＯＮ／ＯＦＦ、通信条件である３ＧまたはＷｉ−Ｆｉの設定種別、バッテリ残量をそれぞれ示す。図２の（Ｄ）は、表示装置２０において、歌詞が取得される楽曲をユーザが選択するときの再生楽曲選択画面の一例を示す図である。図２の（Ｅ）〜図２の（Ｇ）は、再生される楽曲の歌詞が、歌詞管理サーバ５０から取得され、表示されるディスプレイ２１の表示態様の一例を示す図である。表示装置２０は、歌詞管理サーバ５０から、後述する表示態様が異なる複数種類の歌詞データを取得する。図２の（Ｅ）は、楽曲が再生されるとき、楽曲の進行に従って歌詞を色変えするカラオケ歌詞を示す図である。図２の（Ｆ）は、ディスプレイ２１に表示される楽曲の歌詞である通常歌詞を示す図である。図２の（Ｇ）は、カラオケ歌詞が表示されているときに、照明がＯＦＦに切り換えられたディスプレイ２１の表示画面を示す図である。表示装置２０は、図２の（Ｅ）に示す歌詞指定ボタン２１ａ〜２１ｃのいずれかを押下することにより、表示される歌詞の種類を切り換える。
【００２２】
歌詞管理サーバ５０は、後述するように、多数の楽曲の属性情報と、多数の楽曲の歌詞データとを対応付けて記憶している。歌詞データとは、複数種類が異なる表示態様で表示装置２０のディスプレイ２１に表示させるための情報であり、表示態様の種類によりデータ構成がそれぞれ異なる。表示装置２０は、再生する楽曲の属性情報を歌詞管理サーバ５０へ送信することにより、歌詞管理サーバ５０からその楽曲の歌詞データを取得する。表示装置２０は、楽曲の属性情報を含み、複数種類の歌詞データのいずれかまたは全てを取得することを指定する取得要求を、歌詞管理サーバ５０へ送信する。
【００２３】
表示装置２０は、取得要求に応じて、歌詞管理サーバ５０から、いずれか又は全ての種類の表示態様の歌詞データを取得する。表示装置２０は、取得した歌詞データに従って、ディスプレイ２１に楽曲の歌詞を表示することができる。例えば、表示装置２０は、図２の（Ｄ）に示すようにプレイリストの１曲がユーザにより指定されたとき、指定された楽曲の属性情報を含む取得要求を、歌詞管理サーバ５０に送信する。歌詞管理サーバ５０は、楽曲の属性情報を含む取得要求に応じて、楽曲の歌詞データを、表示装置２０に送信する。
【００２４】
（表示装置の構成）
図３は、表示装置２０と、歌詞管理サーバ５０との電気的な構成を示すブロック図である。表示装置２０は、ＣＰＵ２２を備える。ＣＰＵ２２は、表示装置２０の全体動作を制御する。表示装置２０は、ＣＰＵ２２のほかに、構成要素としてディスプレイ２１と、ＲＯＭ２３と、ＲＡＭ２４と、ＨＤＤ２５と、ネットワーク接続部２６と、スピーカ２７と、バッテリ電源２８とを備える。ＣＰＵ２２は、これらの構成要素にそれぞれ接続される。ＣＰＵ２２は、ＲＯＭ２３、ＲＡＭ２４、ＨＤＤ２５などの記憶手段と共に、表示装置２０の動作を制御処理するコンピュータを構成する。ネットワーク接続部２６は、インターネットなどのネットワークを介して、歌詞管理サーバ５０と通信する。スピーカ２７は、ＣＰＵ２２により再生が制御される楽曲を出力する。バッテリ電源２８は、表示装置２０を駆動する電力を供給する。
【００２５】
ＲＯＭ２３は、楽曲再生表示プログラム記憶領域２３１を備える。楽曲再生表示プログラム記憶領域２３１は、楽曲再生表示プログラムを記憶する。表示装置２０は、楽曲再生機能を備え、楽曲再生表示プログラムにより楽曲情報を楽曲再生信号に逐次変換することで、スピーカ２７から楽曲を出力する。表示装置２０は、楽曲再生表示プログラムの実行により、楽曲情報の変換と同期して、歌詞管理サーバ５０から取得された歌詞データに従って、楽曲の歌詞をディスプレイ２１に表示する。表示装置２０は、楽曲の再生出力に同期して、楽曲の歌詞をディスプレイ２１に順次表示する。尚、本実施形態において、同期とは、楽曲の再生出力がされるとき、楽曲の再生開始と同時に、ディスプレイ２１の楽曲の歌詞を表示することを示している。また、楽曲の再生開始と同時のほか、楽曲の再生開始を起点として、楽曲の再生開始から所定の時間後にディスプレイ２１に楽曲の歌詞が表示されてもよい。
【００２６】
ＲＡＭ２４は、設定情報記憶領域２４１と、バッテリ残量記憶領域２４２と、再生楽曲歌詞記憶領域２４３と、表示歌詞設定記憶領域２４４と、取得要求歌詞記憶領域２４５とを含む。設定情報記憶領域２４１は、設定情報を記憶する。設定情報とは、表示装置２０において消費される電力を低減させる省電力モードのＯＮ／ＯＦＦ設定情報と、ネットワーク接続部２６により、外部機器と接続されるときの接続方法である３Ｇ回線またはＷｉ−Ｆｉを示す接続設定情報とを含む。バッテリ残量記憶領域２４２は、バッテリ電源２８の残量を記憶する。バッテリ残量は、ＣＰＵ２２が常に又は一定時間ごとに検知するバッテリ電源２８の残量値である。再生楽曲歌詞記憶領域２４３は、歌詞管理サーバ５０から取得した再生される楽曲のいずれかまたは全ての表示態様の歌詞データを記憶する。
【００２７】
表示歌詞設定記憶領域２４４は、ディスプレイ２１に表示される歌詞の表示態様の種類が記憶される。具体的には、ディスプレイ２１に表示される表示態様が異なる複数種類の歌詞は、図２の（Ｅ）に示す歌詞指定ボタン２１ａ〜２１ｃをユーザがタッチすることにより、表示する歌詞の表示態様の種類を指定することができる。表示歌詞設定記憶領域２４４は、ユーザが歌詞指定ボタン２１ａ〜２１ｃにより複数種類の表示態様の歌詞のうち、特定の種類を指定したことが記憶される。例えば、ディスプレイ２１に図２の（Ｅ）の表示がされるとき、表示歌詞設定記憶領域２４４に、後述する「カラオケ歌詞」を指定したことが記憶される。ディスプレイ２１に図２の（Ｆ）の表示がされるとき、表示歌詞設定記憶領域２４４に、後述する「通常歌詞」を指定したことが記憶される。取得要求歌詞記憶領域２４５は、楽曲再生表示プログラムの処理により、歌詞管理サーバ５０に取得要求すると決定された歌詞データの種類を示す情報が記憶される。
【００２８】
ＨＤＤ２５は、楽曲情報記憶領域２５１を含む。楽曲情報記憶領域２５１は、楽曲をスピーカ２７から出力させるための楽曲情報を記憶する。楽曲情報には、楽曲の属性情報が対応付けられている。楽曲の属性情報は、例えば楽曲ごとに付される楽曲ＩＤと、楽曲名と、アーティスト名とを含む。
【００２９】
（歌詞管理サーバの構成）
歌詞管理サーバ５０は、ＣＰＵ５２を備える。ＣＰＵ５２は、歌詞管理サーバ５０の全体動作を制御する。歌詞管理サーバ５０は、ＣＰＵ５２のほかに、構成要素として、ＲＯＭ５３と、ＲＡＭ５４と、ＨＤＤ５５と、ネットワーク接続部５６とを備える。ＣＰＵ５２は、これらの構成要素にそれぞれ接続される。ＣＰＵ５２は、ＲＯＭ５３、ＲＡＭ５４、及びＨＤＤ５５などの記憶手段と共に、歌詞管理サーバ５０の動作を制御処理するコンピュータを構成する。ネットワーク接続部５６は、インターネットなどのネットワークを介して、表示装置２０と通信する。
【００３０】
ＲＯＭ５３は、歌詞送信プログラム記憶領域５３１を備える。歌詞送信プログラム記憶領域５３１は、歌詞送信プログラムを記憶する。歌詞管理サーバ５０は、歌詞送信プログラムにより、表示装置２０から取得要求がされた楽曲について、その楽曲の歌詞データを表示装置２０へ送信する。ＲＡＭ５４は、送信歌詞記憶領域５４１を備える。送信歌詞記憶領域５４１は、送信歌詞データを記憶する。送信歌詞データとは、表示装置２０からされた取得要求に応じて、表示装置２０に送信される楽曲の歌詞データである。
【００３１】
ＨＤＤ５５は、楽曲歌詞記憶領域５５１を備える。楽曲歌詞記憶領域５５１は、多数の楽曲について、多数の楽曲歌詞データを記憶する。各楽曲歌詞データは、楽曲の複数の属性情報と、楽曲の歌詞データとを含む。図４は、楽曲歌詞記憶領域５５１の記憶内容を示す概念図である。図４に示すように、多数の楽曲歌詞データの各々について、楽曲の楽曲ＩＤと、楽曲のアーティスト名と、楽曲の曲名と、楽曲の歌詞を表示させるための歌詞データとが対応付けられている。楽曲の歌詞データは、表示態様がそれぞれ異なる複数種類の歌詞データである。具体的には、楽曲の歌詞データとして、通常歌詞データＬ０と、和訳歌詞データＬ１と、ルビ付歌詞データＬ２と、カラオケ歌詞データＬ３とが含まれる。
【００３２】
通常歌詞データＬ０は、表示装置２０のディスプレイ２１に、楽曲の歌詞を表示させる情報であり、歌詞のテキスト情報を含む。歌詞管理サーバ５０が歌詞データを管理する楽曲は、全て通常歌詞データＬ０が存在する。和訳歌詞データＬ１は、ディスプレイ２１に、楽曲の歌詞の日本語訳を表示させる情報であり、歌詞の和訳テキスト情報を含む。楽曲によっては、和訳歌詞データＬ１の有無が異なる。例えば、楽曲が洋楽などの外国語の楽曲であるとき、和訳歌詞データＬ１が存在する。ルビ付歌詞データＬ２は、ディスプレイ２１に、楽曲の歌詞と、歌詞の振り仮名とを表示させる情報であり、歌詞のテキスト情報と、振り仮名情報とを含む。例えば、楽曲が外国語の楽曲であるとき、及び漢字が含まれる楽曲であるとき、ルビ付歌詞データＬ２が存在する。カラオケ歌詞データＬ３は、ディスプレイ２１に、楽曲の歌詞を表示したとき、再生される楽曲の進行に合わせて歌詞のフレーズの表示色が順に変更される色変え表示を実行させる情報であり、歌詞のテキスト情報と、タイミング情報とを含む。タイミング情報とは、具体的には、フレーズごとに、色変え表示する開始時間と、そのフレーズの色変え表示に要する時間とを示す時間情報である。表示装置２０では、カラオケ歌詞データＬ３を取得し、表示するとき、楽曲の再生に合ったタイミング情報に従って歌詞の各フレーズの表示色が変更される。
【００３３】
［実施形態の動作及び作用］
以上、説明した構成からなる本実施形態の歌詞表示システム１の動作及び作用について、図５及び図６を参照して説明する。図５は、楽曲再生表示プログラムに従う表示装置２０の処理手順を示すフローチャートである。図６は、図５に示す表示装置２０の処理手順の過程で、歌詞管理サーバ５０に取得要求を送信する歌詞取得処理の処理手順を示すフローチャートである。表示装置２０及び歌詞管理サーバ５０は、内部電源、またはコンセントを介して商用電源などの外部電源と接続されたことにより、起動する。
【００３４】
（表示装置の楽曲再生表示処理）
まず、図２の（Ａ）〜図２の（Ｄ）と、図５と、図６とを用いて、表示装置２０の楽曲再生表示処理を説明する。表示装置２０には、アプリケーションソフトウエアがインストールされており、このアプリケーションソフトウエアに含まれる楽曲再生表示プログラムが実行される。図５に示す各ステップの処理は、ＣＰＵ２２により実行される。
【００３５】
ユーザが、ディスプレイ２１の画面上の図示外の開始ボタンを操作すると、楽曲再生表示プログラムの実行が開始され、図５に示す楽曲再生表示処理が開始される。最初にステップＳ１０で、図２の（Ｄ）に示すように、複数の楽曲の再生順序が定められたプレイリストが表示される。プレイリストは、ＨＤＤ２５の楽曲情報記憶領域２５１に記憶された複数の楽曲情報に従って、楽曲を再生する再生順序を示す。
【００３６】
ステップＳ１５では、再生する楽曲が決定されたか否かが判断される。再生する楽曲は、図２の（Ｄ）に示すディスプレイ２１に表示されたプレイリストから、ユーザが楽曲を指定することにより決定される。図２の（Ｄ）は、プレイリストから楽曲ＩＤ「ｃ」の楽曲が指定されたことを示している。あるいは、プレイリストの再生順序に従って、連続して複数の楽曲を再生する場合、再生する楽曲は、表示装置２０により自動で指定されることにより、決定される。または、ユーザにより、予め同一の楽曲を連続して複数回再生するリピート再生であると指定されている楽曲が繰り返し再生される場合は、再生する楽曲は、表示装置２０により自動で指定され、決定される。
【００３７】
ステップＳ１５では、再生する楽曲が決定されたと判断されると（ステップＳ１５：ＹＥＳ）、ステップＳ２０の処理が実行される。再生する楽曲が決定されたと判断されないとき（ステップＳ１５：ＮＯ）、ステップＳ１５の処理が繰り返される。
【００３８】
（歌詞決定処理）
ステップＳ２０では、再生すると決定された楽曲について、取得する歌詞の種類を決定する歌詞決定処理が実行される。ここで、歌詞決定処理を、図２の（Ａ）〜図２の（Ｃ）と、図６とを用いて説明する。歌詞決定処理では、図６に示すステップＳ２０１〜ステップＳ２１２の処理が実行される。
【００３９】
ステップＳ２０１では、連続再生モードであるか否かが判断される。再生する楽曲が、プレイリストの再生順序に従って、連続して再生すると指定された複数の楽曲のうちの楽曲である場合に連続再生モードであると判断される。または、ユーザによって予めリピート再生であると指定がされている楽曲が繰り返し再生される場合は、再生する楽曲は、連続再生モードであると判断される。ステップＳ２０１では、再生する楽曲が、連続再生モードであると判断されると（ステップＳ２０１：ＹＥＳ）、ステップＳ２０６が行われる。連続再生モードであると判断されないと（ステップＳ２０１：ＮＯ）、ステップＳ２０２の処理が行われる。連続再生モードであると判断されないときとは、再生すると決定された楽曲が、ユーザにより再生される楽曲と指定された楽曲であるときである。
【００４０】
ステップＳ２０２では、ディスプレイ２１の照明がＯＦＦであるか否かが判断される。ディスプレイ２１の照明がＯＦＦであると判断されると（ステップＳ２０２：ＹＥＳ）、ステップＳ２０７の処理が行われる。ディスプレイ２１の照明がＯＮであると判断されないと（ステップＳ２０２：ＮＯ）、ステップＳ２０３の処理が行われる。
【００４１】
ステップＳ２０３では、省電力モードの設定がＯＮであるか否かが判断される。省電力モードは、ユーザが、図２の（Ａ）〜図２の（Ｃ）に示す表示装置２０のディスプレイ２１の省電力モードのＯＮ／ＯＦＦ設定の表示をタッチすることにより、ＯＮまたはＯＦＦに切り替えられる。ステップＳ２０３では、省電力モードがＯＮに設定されていると判断されると（ステップＳ２０３：ＹＥＳ）、ステップＳ２０７の処理が行われる。省電力モードがＯＮに設定されていると判断されないと（ステップＳ２０３：ＮＯ）、ステップＳ２０４の処理が行われる。省電力モードがＯＮに設定されていると判断されないとき、省電力モードはＯＦＦに設定されている。
【００４２】
例えば、図２の（Ａ）及び図２の（Ｃ）の表示装置２０は、省電力モードの設定がＯＦＦであるため、ステップＳ２０３の処理においてＮＯと判断され、続いてステップＳ２０４の処理が行われる。図２の（Ｂ）の表示装置２０は、省電力モードの設定がＯＮであるため、ステップＳ２０３の処理においてＹＥＳと判断され、続いてステップＳ２０７の処理が行われる。
【００４３】
ステップＳ２０４では、バッテリ電源２８の残量が３０％以下であるか否かが判断される。ステップＳ２０４では、バッテリ電源２８の残量が３０％以下であると判断されると（ステップＳ２０４：ＹＥＳ）、ステップＳ２０７の処理が行われる。バッテリ電源２８の残量が３０％以下であると判断されないと（ステップＳ２０４：ＮＯ）、バッテリ電源２８の残量は３０％より多くあり、ステップＳ２０５の処理が行われる。
【００４４】
例えば、図２の（Ａ）の表示装置２０は、バッテリ電源２８の残量が５０％であるため、ステップＳ２０４の処理においてＮＯと判断され、続いて、ステップＳ２０５の処理が行われる。図２の（Ｃ）の表示装置２０のように、バッテリ電源２８の残量が１５％である場合には、ステップＳ２０４の処理においてＹＥＳと判断され、続いてステップＳ２０７の処理が行われる。
【００４５】
ステップＳ２０５では、表示装置２０においてユーザにより指定された楽曲の歌詞の表示態様がそれぞれ異なる４種類の歌詞データが、取得要求する歌詞データに決定される。ステップＳ２０５では、取得要求歌詞記憶領域２４５に、「通常歌詞、和訳歌詞、ルビ付歌詞、カラオケ歌詞」の４種類の歌詞データを取得要求することが記憶される。
【００４６】
ステップＳ２０６では、ディスプレイ２１の照明がＯＦＦであるか否かが判断される。ディスプレイ２１の照明がＯＦＦであると判断されると（ステップＳ２０６：ＹＥＳ）、歌詞決定処理が終了される。ディスプレイ２１の照明がＯＦＦであると判断されないと（ステップＳ２０６：ＮＯ）、ステップＳ２０７の処理が行われる。
【００４７】
ステップＳ２０７では、ＲＡＭ２４の表示歌詞設定記憶領域２４４に、１曲前にディスプレイ２１に表示された歌詞の種類が記憶されているか否かが判断される。表示歌詞設定記憶領域２４４に、歌詞の種類が記憶されていると判断されると（ステップＳ２０７：ＹＥＳ）、ステップＳ２０７２の処理が行われる。表示歌詞設定記憶領域２４４に、歌詞の種類が記憶されていると判断されないと（ステップＳ２０７：ＹＥＳ）、ステップＳ２０７１の処理が行われる。ステップＳ２０７１では、表示歌詞設定記憶領域２４４に、ディスプレイ２１に表示すると設定された歌詞の種類が記憶される。ステップＳ２０７１では、表示歌詞設定記憶領域２４４に、歌詞の種類「通常歌詞」が記憶される。
【００４８】
ステップＳ２０７２では、表示歌詞設定記憶領域２４４に記憶された種類の歌詞データと同じ種類の歌詞データが、取得要求する種類の歌詞データと決定される。そして、取得要求歌詞記憶領域２４５に、表示歌詞設定記憶領域２４４に記憶された種類の歌詞データと同じ種類の歌詞データを取得要求することが記憶される。表示歌詞設定記憶領域２４４に記憶されている種類の歌詞データは、再生すると決定された楽曲の１曲前の楽曲が再生されたときに、ディスプレイ２１に表示された歌詞の種類の歌詞データである。
【００４９】
例えば、１曲前の楽曲が再生されていたとき、ディスプレイ２１に図２の（Ｅ）に示す表示がされていれば、表示歌詞設定記憶領域２４４にカラオケ歌詞が指定されたことを記憶した状態が保持されており、取得要求する歌詞データの種類は、カラオケ歌詞と決定される。このとき、取得要求歌詞記憶領域２４５に「カラオケ歌詞」を取得要求することが記憶される。１曲前の楽曲が再生されていたとき、ディスプレイ２１に図２の（Ｆ）の表示がされていれば、表示歌詞設定記憶領域２４４には「通常歌詞」が指定されたことを記憶した状態が保持されており、取得要求する歌詞データの種類は、通常歌詞と決定される。このとき、取得要求歌詞記憶領域２４５に「通常歌詞」を取得要求することが記憶される。
【００５０】
ステップＳ２０８では、ステップＳ２０７２において取得要求すると決定された歌詞データの種類が、「カラオケ歌詞」であるか否かが判断される。取得要求する歌詞データの種類が、「カラオケ歌詞」であると判断されると（ステップＳ２０８：ＹＥＳ）、ステップＳ２０９の処理が行われる。取得要求する歌詞データの種類が、「カラオケ歌詞」であると判断されないと（ステップＳ２０８：ＮＯ）、ステップＳ２１０の処理が行われる。
【００５１】
ステップＳ２０９では、取得要求する歌詞データの種類が、「通常歌詞」に変更される。具体的には、取得要求歌詞記憶領域２４５に記憶された歌詞データの種類が、「通常歌詞」に変更される。
【００５２】
ステップＳ２１０では、ＲＡＭ２４の取得要求歌詞記憶領域２４５に記憶された種類の歌詞データを取得する要求が、歌詞管理サーバ５０へ送信される。歌詞データを取得する要求とは、具体的には、楽曲を示す楽曲ＩＤと、楽曲名と、アーティスト名と、どの種類の歌詞データを取得するかを示す種類情報とを含む情報である。ステップＳ２０５の処理が行われ、４種類の歌詞データを要求すると決定されるとき、再生すると決定された楽曲について、歌詞管理サーバ５０へ４種類の歌詞データを取得する要求がされる。ステップＳ２０７またはステップＳ２０９の処理が行われたときは、再生すると決定された楽曲について、取得要求すると決定された種類の歌詞データの取得要求が歌詞管理サーバ５０へ送信される。
【００５３】
例えば、ステップＳ２１０では、ステップＳ１５において、楽曲ＩＤ「ｃ」の楽曲を再生すると決定され、ステップＳ２０５で全種類の歌詞データを取得すると決定された場合、歌詞管理サーバ５０へ楽曲ＩＤ「ｃ」の楽曲について、４種類の歌詞データの取得要求が送信される。ステップＳ１５において、楽曲ＩＤ「ｃ」の楽曲を再生すると決定され、ステップＳ２０７またはステップＳ２０９の処理で、取得要求する歌詞データが通常歌詞であると決定された場合、歌詞管理サーバ５０へは、楽曲ＩＤ「ｃ」の楽曲について、通常歌詞の歌詞データの取得要求が送信される。
【００５４】
ステップＳ２１１では、ステップＳ２１０において歌詞管理サーバ５０に取得要求した種類の歌詞データを取得したか否かが判断される。取得要求した歌詞データを取得したと判断されると（ステップＳ２１１：ＹＥＳ）、ステップＳ２１２の処理が行われる。取得要求した歌詞データを取得したと判断されないと（ステップＳ２１１：ＮＯ）、ステップＳ２１１の処理が繰り返し行われる。
【００５５】
ステップＳ２１２では、ＲＡＭ２４の表示歌詞設定記憶領域２４４に記憶された種類の歌詞がディスプレイ２１に表示される。ステップＳ２１２の処理が行われると、図５のステップＳ３０が実行される。ステップＳ２１２では、ステップＳ２１１において、複数種類の歌詞データを取得しているとき、取得した種類のいずれかの歌詞を表示することが可能である。ユーザは、ディスプレイ２１の歌詞の種類が表示された所定の位置をタッチすることにより、所望の歌詞の表示を指定することが可能である。表示装置２０は、ユーザにより歌詞の種類の指定がされると、ディスプレイ２１を指定された種類の歌詞に切り換えて表示する。ステップＳ２１２では、ディスプレイ２１に歌詞が表示されるとき、ユーザによる切り換え指定に応じて、表示される歌詞の種類が、表示歌詞設定記憶領域２４４に記憶される。
【００５６】
ステップＳ２０の歌詞取得処理が行われるとき、各表示装置２０の設定状況および使用状況により、取得する歌詞データの種類が異なる具体例を説明する。表示装置２０が、図２の（Ａ）に示す設定状態であるときは、省電力モードはＯＦＦに設定され、バッテリ残量が５０％であるため、通常モードである。通常モードでは、楽曲再生モードで楽曲が再生されるときに４種類の歌詞データが取得される。４種類の歌詞データが取得されたとき、図２の（Ｅ）に示すように、歌詞指定ボタン２１ａ〜２１ｃをユーザがタッチすることで、４種類の歌詞からディスプレイ２１に表示する歌詞が切り換えられる。
【００５７】
表示装置２０が、図２の（Ｂ）に示す設定状態であるときは、省電力モードはＯＮに設定され、バッテリ残量が７０％であるため、制限モードである。制限モードでは、楽曲再生モードで楽曲が再生されるときに、表示すると設定された１種類の歌詞データが取得される。１種類の歌詞データが取得されると、例えば、ＲＡＭ２４の表示歌詞設定記憶領域２４４に「通常歌詞」がユーザにより指定されたことが記憶されているとき、図２の（Ｆ）に示すように通常歌詞がディスプレイ２１に表示される。１種類の歌詞データが取得されたとき、図２の（Ｆ）に示すように、ディスプレイ２１に他の種類の歌詞を指定する歌詞指定ボタン２１ａ〜２１ｃは表示されず、表示された通常歌詞を他の種類の歌詞に切り換えることはできない。
【００５８】
歌詞取得処理では、連続再生モードであると判断されず、ディスプレイ２１の照明がＯＮであり、省電力モードがＯＦＦであり、バッテリ残量が３０％より多いという全ての条件を満たすとき、通常モードとして、ステップＳ２０５の処理が行われる。連続再生モードであると判断され、且つディスプレイ２１の照明がＯＮであるとき、または、連続再生モードであると判断されず、且つディスプレイ２１の照明がＯＦＦであるとき、または、連続再生モードであると判断されず、且つ省電力モードがＯＮであるとき、または、連続再生モードであると判断されず、且つバッテリ残量が３０％以下であると判断されたとき、制限モードとして、ステップＳ２０７の処理が行われる。
【００５９】
また、歌詞取得処理では、連続再生モードであると判断されず、ディスプレイ２１の照明がＯＦＦ、または省電力モードがＯＮ、またはバッテリ残量が３０％以下であると判断されたとき、及び連続再生モードであると判断され、ディスプレイ２１の照明がＯＦＦではないと判断されたとき、４種類より少ない種類の歌詞データを要求すると決定される。図６に示すステップＳ２０７では、表示歌詞設定記憶領域２４４に記憶されている種類の歌詞データを、歌詞管理サーバ５０に取得要求すると決定される。ステップＳ２０８では、ステップＳ２０７において取得要求すると決定された歌詞データの種類が、「カラオケ歌詞」であるか否かが判断され、カラオケ歌詞であれば、ステップＳ２０９において、表示歌詞設定記憶領域２４４に記憶されている歌詞の種類が、「通常歌詞」に変更される処理が行われる。
【００６０】
再生すると決定された楽曲の１曲前の楽曲が再生されたとき、表示された歌詞の種類が「カラオケ歌詞」である場合は、歌詞を、楽曲の進行にあわせて順に色変えして表示するため、「通常歌詞」を表示する場合に比べ、電力消費が大きい。そのため、ステップＳ２０９では、「カラオケ歌詞」以外の歌詞を表示するように、ＲＡＭ２４の表示歌詞設定記憶領域２４４に記憶される歌詞の表示態様の種類を変更する。ステップＳ２０９では、表示歌詞設定記憶領域２４４の記憶内容を、「通常歌詞」へ変更することにより、制限モードが設定されている場合は、ディスプレイ２１に表示させるとき、「カラオケ歌詞」に比べて電力消費が小さい種類の歌詞を表示させることができる。
【００６１】
ステップＳ３０では、ステップＳ１５により再生すると決定された楽曲が再生される。ステップＳ４０では、プレイリストの再生順序に従って、ステップＳ３０において再生された楽曲と連続して再生すると指定された楽曲が存在するか否かが判断される。連続して再生する楽曲が存在すると判断されると（ステップＳ４０：ＹＥＳ）、ステップＳ６０の処理が行われる。連続して再生する楽曲が存在すると判断されないと（ステップＳ４０：ＮＯ）、ステップＳ５０の処理が行われる。
【００６２】
ステップＳ５０では、ステップＳ３０により再生された楽曲が、ユーザにより、リピート再生が指定された楽曲であるか否かが判断される。連続して複数回再生する楽曲であると指定されていると判断されると（ステップＳ５０：ＹＥＳ）、ステップＳ６０の処理が実行される。連続して複数回再生する楽曲であると判断されないと（ステップＳ５０：ＮＯ）、ステップＳ７０の処理が行われる。
【００６３】
ステップＳ６０では、再生される楽曲が指定される。ステップＳ４０において、再生順序が定められたプレイリストに連続して再生する楽曲が存在すると判断されると、プレイリストの再生順序に従って、再生する楽曲が指定される。ステップＳ５０において、ステップＳ３０により再生された楽曲が、リピート再生が指定された楽曲であると判断されると、リピート再生する楽曲が決定される。リピート再生には、１曲を複数回繰り返し再生させる１曲リピート再生と、複数の楽曲で構成されるプレイリストの全曲を複数回繰り返し再生させる全曲リピート再生とがある。ステップＳ６０では、１曲リピート再生が設定された楽曲の場合は、ステップＳ３０により再生された楽曲と同一の楽曲が、再生する楽曲に決定される。全曲リピート再生が設定された楽曲の場合は、プレイリストの最初の楽曲が、再生する楽曲に決定される。ステップＳ６０の処理が行われると、続けてステップＳ２０の処理が行われる。
【００６４】
ステップＳ７０では、楽曲の再生が終了したか否かが判断される。楽曲の再生が終了したと判断されると（ステップＳ７０：ＹＥＳ）、ステップＳ８０の処理が行われる。楽曲の再生が終了したと判断されないと（ステップＳ７０：ＮＯ）、ステップＳ７０の処理が繰り返し行われる。
【００６５】
ステップＳ８０では、アプリケーションソフトウエアを終了する指示がされたか否かが判断される。アプリケーションソフトウエアを終了する指示がされたと判断されると（ステップＳ８０：ＹＥＳ）、楽曲再生表示プログラムが終了される。アプリケーションソフトウエアを終了する指示がされたと判断されないと（ステップＳ８０：ＮＯ）、ステップＳ１０の処理が繰り返し行われる。
【００６６】
［本発明と実施形態との構成の対応関係］
本実施形態の表示装置２０が、本発明の歌詞取得可能な通信装置の一例である。本実施形態の楽曲再生表示プログラムが、本発明の歌詞取得可能な通信プログラムの一例である。本実施形態の歌詞管理サーバ５０が、本発明のサーバの一例である。
【００６７】
本実施形態の通常歌詞データＬ０と、和訳歌詞データＬ１と、ルビ付歌詞データＬ２と、カラオケ歌詞データＬ３とが、本発明の歌詞データの一例である。特に、本実施形態のカラオケ歌詞データＬ３が、本発明の色変え歌詞データの一例である。
【００６８】
本実施形態のＣＰＵ２２及びネットワーク接続部２６が、本発明の取得部の一例である。本実施形態のＣＰＵ２２のステップＳ２１１の処理により、歌詞管理サーバ５０から歌詞データを取得することが、本発明の取得ステップの一例である。本実施形態のプレイリストが表示され、再生する楽曲が指定されるタッチパネル式のディスプレイ２１が、本発明の指定部の一例である。本実施形態のＣＰＵ２２及びステップＳ１５の処理または、ステップＳ６０の処理により再生する楽曲が指定されることが、本発明の指定ステップの一例である。本実施形態のディスプレイ２１が、本発明の表示部の一例である。本実施形態のＣＰＵ２２が、本発明の表示制御部の一例である。本実施形態のＣＰＵ２２のステップＳ２１２の処理により、表示歌詞設定記憶領域２４４に記憶された種類の歌詞がディスプレイ２１に表示されることが、本発明の表示制御ステップの一例である。
【００６９】
本実施形態のＣＰＵ２２及びステップＳ２０５の処理により、全種類の歌詞情報を要求すると決定されることが通常モードを設定するモード設定ステップの一例である。ＣＰＵ２２及びステップＳ２０７の処理により、表示設定された種類の歌詞情報を要求すると決定されることが制限モードを設定するモード設定ステップの一例である。
【００７０】
本実施形態のディスプレイ２１に表示される歌詞の歌詞データが記憶されるＲＡＭ２４の表示歌詞設定記憶領域２４４が、本発明の表示設定部の一例である。
【００７１】
また、本実施形態においては、表示装置２０は、ディスプレイ２１の照明がＯＦＦであるとき、または省電力モードがＯＮに設定されているとき、またはバッテリ残量が３０％以下であるときを、電力消費を制限すべきときと判断し、４種類全ての歌詞データを取得せず、表示すると指定された１種類の歌詞データを取得する。
【００７２】
（変形例）
本実施形態において、歌詞取得処理のステップＳ２０４では、バッテリ電源２８の残量が所定値以下の場合に、取得する歌詞の種類を制限する制限モードへ切り換える処理がされる。本実施形態では、制限モードへ切り換える基準の一例として、バッテリ残量の閾値が３０％以下になった場合としたが、制限モードへの切り換え基準はこれに限らない。例えば、バッテリ残量の閾値が２０％以下、または１０％以下となったとき、制限モードとしてもよい。制限モードへの切り替えの残量の閾値は、プログラムにおいて予め定められているものであってもよいし、ユーザにより指定されてもよい。
【００７３】
また、取得する歌詞の種類を制限する制限モードは、バッテリ電源２８の残量に応じて、複数段階の制限モードを設定してもよい、例えば、バッテリ電源２８の残量に従って複数段階の制限モードを設定し、制限モードの段階に応じて定められた種類数の歌詞を取得要求する構成であってもよい。例えば、バッテリ電源２８の残量が、８０％以上であるときは、全４種類の歌詞を取得要求し、５０％以上８０％未満であるときを第１制限モードとして、３種類の歌詞を取得要求し、３０％以上５０％未満であるときを第２制限モードとして、２種類の歌詞を取得要求し、３０％以下であるときを第３制限モードとして、１種類の歌詞を取得要求してもよい。また、それぞれの段階の制限モードにおいて取得する歌詞の種類を、歌詞それぞれのデータ量に応じて定めることが望ましい。特に、歌詞のテキスト情報と、タイミング情報とを含むカラオケ歌詞データは、データ量が多いことが考えられるため、取得要求する歌詞の種類に含まない方が、消費電力の軽減に有効である。
【００７４】
また、制限モードに設定される条件の内容に応じて、取得要求する歌詞の種類数を異ならせても良い。例えば、ディスプレイ２１の照明がＯＦＦであることによる制限モードの場合は、３種類の歌詞を取得要求し、省電力モードが設定されていることによる制限モードの場合は、２種類の歌詞を取得要求し、バッテリ電源２８の残量が３０％以下である場合は、１種類の歌詞を取得要求するといったように、制限モードに設定される条件に応じて異ならせてもよい。
【００７５】
ステップＳ２０５では、楽曲の歌詞データの全種類である４種類の歌詞データを取得しているが、歌詞管理サーバ５０は、楽曲によっては、４種類の歌詞データを記憶しておらず、３種類以下しか記憶していない場合がある。歌詞管理サーバ５０は、歌詞データとともに、楽曲それぞれについて各種類の歌詞データが存在するか否かを示す情報を管理し、記憶していない種類の歌詞データについては、その種類の歌詞データが存在しないことを示す情報を、表示装置２０に送信してもよい。
【００７６】
また、表示装置２０は、再生する楽曲に限らず、歌詞を表示する楽曲を指定することが可能である。歌詞を表示する楽曲を指定する場合は、例えば、アーティスト名や、楽曲名を検索キーワードとして、ディスプレイ２１を用いて閲覧したい楽曲の歌詞を検索して指定する。楽曲の再生は行わずに、歌詞を表示する楽曲を指定する場合は、図６に示す歌詞取得処理のステップＳ２０１において、連続再生モードであるか否かの判断は行わず、ステップＳ２０２、またはステップＳ２０３、またはステップＳ２０４のいずれかがＹＥＳと判断されたとき、表示すると設定された種類の歌詞データを取得してもよい。
【００７７】
本実施形態において、ステップＳ２０７では、制限モードと設定されているとき、取得される楽曲の歌詞は、再生が指定された楽曲の前に再生されていた楽曲の歌詞の種類と同じ種類の歌詞であるがこれに限らない。過去に閲覧した歌詞の閲覧回数を種類ごとに集計しておき、最も閲覧回数が多い種類の歌詞情報を取得してもよい。
【００７８】
また、本実施形態において、ステップＳ２０９では、表示装置２０が制限モードであるとき、取得要求すると決定された歌詞データの種類が「通常歌詞」に変更されるが、取得要求する歌詞データの種類は、「通常歌詞」に限らない。歌詞データの種類が、「和訳付歌詞」の歌詞データは、楽曲の歌詞の日本語訳を表示させる情報であるため、「通常歌詞」の歌詞データと同様に、データ量が少ないことが考えられる。よって、ステップＳ２０９において変更される取得要求する歌詞データの種類は、「和訳歌詞」であってもよい。
【００７９】
本実施形態では、制限モードであると判断されると、取得要求される歌詞の種類が制限され、特定の１種類の歌詞しか取得することができない。しかしながら、ユーザは、表示装置２０が制限モードである場合であっても、所望の種類の未取得の歌詞を取得したいことがある。表示装置２０が制限モードであるとき、ユーザにより所望の歌詞の種類が指定されることにより、その種類の歌詞の取得要求が行われ、特定の１種類の歌詞に加えて指定された種類の歌詞を取得可能とする構成であってもよい。
【００８０】
本実施形態において、省電力モードの設定は、図２の（Ａ）〜図２の（Ｃ）に示す機能状態が表示されたディスプレイ２１をユーザがタッチして、ＯＮ／ＯＦＦの切り替えが行われる。省電力モードのＯＮ／ＯＦＦの設定は、例えば、バッテリ残量や、楽曲の連続再生時間などの閾値を判断基準として、切り替えが自動で行われてもよい。
【００８１】
また、表示装置２０が備える記録媒体は、ＲＯＭ２３と、ＲＡＭ２４と、ＨＤＤ２５とに限らない。例えば、楽曲再生表示プログラムを記憶するＲＯＭ２３は、書き換えが可能なＥＥＰ−ＲＯＭであってもよく、ＳＤメモリカードなどの表示装置２０から着脱可能な記録媒体であってもよい。また、楽曲歌詞データを記憶するＨＤＤ２５に代えて、ＳＤメモリカードなどの表示装置２０から着脱可能な記録媒体に記憶されてもよい。即ち、楽曲再生表示プログラムなどの各種プログラム、及び楽曲歌詞データなどの各種データは、書き換え可能なＳＤメモリカードなどの着脱可能な記録媒体であってもよい。また、これらの各種プログラム及び各種データは、ネットワーク接続部２６を介してインターネットを経由して、プログラム配信装置から取得されてもよい。
【符号の説明】
【００８２】
１  歌詞表示システム
２０  表示装置
２１  ディスプレイ
２２  ＣＰＵ
２４１  設定情報記憶領域
２４２  電池残量記憶領域
２４３  再生楽曲歌詞記憶領域
２８  バッテリ電源
５０  歌詞管理サーバ
５２  ＣＰＵ
５５１  楽曲歌詞記憶領域
【図１】
0005686094.tif 000002
【図２】
0005686094.tif 000003
【図３】
0005686094.tif 000004
【図４】
0005686094.tif 000005
【図５】
0005686094.tif 000006
【図６】
0005686094.tif 000007